(57)【特許請求の範囲】
【請求項１】
感光体上のトナー像を転写部に案内された転写材に転写するようにした画像形成装置において、
前記転写材を前記転写部に案内するための導電性のガイド板と、
前記ガイド板に導電性のコロを有し、
前記コロを回転自在に保持する軸受と、
前記軸受を保持し、前記ガイド板に取り付けられる保持部材とを有し、
前記保持部材は導電性樹脂部材からなることを特徴とする画像形成装置。
【請求項２】
前記導電性樹脂部材の抵抗率は１０2〜１０10Ωｃｍであることを特徴とする請求項１記載の画像形成装置。
【請求項３】
前記コロは前記ガイド板を介して電圧が印加されることを特徴とする請求項１または２記載の画像形成装置。
【請求項４】
前記ガイド板は、転写材進入側下部を支点として、転写材の種類に応じて揺動することを特徴とする請求項１，２または３記載の画像形成装置。
【発明の詳細な説明】
【０００１】
【発明の属する技術分野】
この発明は、例えばコロナ放電と除電露光の共働で感光体上のトナー像を転写材に転写する複写機、プリンタ、ファクシミリに適用して好適な画像形成装置に関する。詳しくは、案内部材であるガイド板、ガイド板に取り付けられるコロ、コロに嵌着される軸受及び軸受を保持する保持部材を導電性の材質で構成し、ガイド板を介してコロに電圧を印加することによって、転写ずれによる画像不良やガイド板、コロの汚れを防止することができるようにしたものである。
【０００２】
【従来の技術】
画像形成部が構成された画像形成装置においては、図６に示すように、原稿画像を帯電した感光体ドラム７１上に潜像として記録し、現像装置によって該潜像をトナーにより現像し、さらにガイド板１２に案内されて感光体ドラム７１の面に沿って搬送されてくる転写材（転写紙）ｐには転写部７４の転写極７４ａにより電荷を与えると共に除電露光手段１１０によって除電露光して該転写紙ｐにトナー粒子を吸引転写させ、この後転写紙ｐを感光体ドラム７１から分離し、トナー像の定着を行う。これにより、トナー像を転写紙ｐに複写することができる。
【０００３】
【発明が解決しようとする課題】
ところ従来は、ガイド板１２は、転写部７４のコロナ転写の影響で、電荷を帯びてしまう。そのため、ガイド板１２に感光体ドラム７１上のトナーが引きつけられ、ガイド板１２にトナーが付着し、転写紙ｐの裏面が汚れる画像不良が発生する。これを解決するために、ガイド板１２にトナーが引きつけられないように印可する技術が提案されている。
【０００４】
ところが、転写紙ｐが搬送性の悪い材質においては、転写紙ｐがガイド板１２に付着して、搬送性が低下し、転写ずれによる画像不良が生じる問題がある。
【０００５】
そこで、転写材の裏面汚れや、転写ずれによる画像不良が生じない画像形成装置を提案することを目的とする。
【０００６】
【課題を解決するための手段】
上述の課題を解決するため、この発明に係わる画像形成装置では、感光体上のトナー像を転写部に案内された転写材に転写するようにした画像形成装置において、転写材を転写部に案内するための導電性のガイド板と、ガイド板に導電性のコロを有し、コロを回転自在に保持する軸受と、軸受を保持し、ガイド板に取り付けられる保持部材とを有し、保持部材は導電性樹脂部材からなることを特徴とするものである。
【０００７】
これによれば、保持部材を導電性にすることで、コロがガイド板と導通するので、ガイド板と同様に感光体上のトナーがコロに引きつけられることを防ぎ、画像不良の発生を防止することができる。
【０００８】
この発明に係わる画像形成装置では、導電性樹脂部材の抵抗率は１０2〜１０10Ωｃｍであることを特徴とするものである。
【０００９】
これによれば、導電性樹脂部材の抵抗率を１０2〜１０10Ωに限定することで、効率よくコロとガイド板が導通する。
【００１０】
この発明に係わる画像形成装置では、コロはガイド板を介して電圧が印加されることを特徴とするものである。
【００１１】
これによれば、ガイド板に印加された電圧がコロにも確実に印加されるため、コロにトナーが付着しないので、画像不良の発生を防止することができる。
【００１２】
この発明に係わる画像形成装置では、ガイド板は、転写材進入側下部を支点として、転写材の種類に応じて揺動することを特徴とするものである。
【００１３】
これによれば、ガイド板が搬送性の悪い転写材ほど、揺動し、コロによって搬送されて確実に転写部に誘導されるので、転写ずれを防ぎ、画像不良の発生を防止することができる。
【００１６】
【発明の実施の形態】
続いて、この発明に係わる画像形成装置の実施の一形態について、図面を参照して詳細に説明する。なお、従来と同様の部分については同一符号を付しその詳細な説明は省略する。
【００１７】
図１はこの発明の実施の形態の画像形成装置の要部である画像形成部の断面構成例を示す図である。この発明では、感光体の表面に静電潜像を形成し、トナーを用いて感光体表面の静電潜像を顕像化し、転写部に案内した転写材（転写紙）に顕像化されたトナーをコロナ放電と除電露光との共働によって転写（複写）するにあたり、転写材を転写部に案内するためのコロと、コロを保持する軸受と、軸受を保持する保持部材（導電性樹脂部材）と、保持部材が取り付けられるガイド板とをそれぞれ導電性の材質で構成し、少なくともコロに負の電圧を印加することで、転写ずれによる画像不良やガイド板、コロの汚れを防止するようにしたものである。
【００１８】
図１において、画像形成部７０には転写紙ｐにトナー像を転写するための感光体ドラム７１が設けられ、この感光体ドラム７１の下方には転写紙ｐにトナー像を転写するための転写極７４ａを有する転写部７４と、感光体ドラム７１から転写紙ｐを分離させるための分離極７５ａを有する分離部７５とが配置されている。
【００１９】
転写部７４と分離部７５の下側には支持枠体１０９が設けられ、これの内側には転写極７４ａからのコロナ放電との共働で転写処理を行うと共に転写紙ｐの分離性を向上させるための除電露光手段１１０が配置されている。除電露光手段１１０は感光体ドラム７１の軸方向に沿って配列されたＬＥＤアレイから成り、発光された光ビームが転写部７４の底部に穿設された小開口部１１１を通過して感光体ドラム７１側に照射されるようになされている。
【００２０】
さらに、転写部７４及び分離部７５に転写紙ｐを搬送するために転写部７４の上流側にはレジストローラ１１２が設けられ、下流側には転写部７４及び分離部７５を通過した転写紙ｐを搬送するために搬送ベルト１１３が設けられている。
【００２１】
そして、転写部７４の上流部に転写紙を案内するために導電性のコロ１００を有する導電性のガイド板１０３が配置される。ガイド板１０３は図２に示すように、略長方形状となされ、また、図１のように転写材ｐが感光体ドラム７１表面の所定位置にスムーズに進入密着するように湾曲形成されている。図３に示すように、円柱状のコロ１００はガイド板１０３の中央部分に形成された開口部１０３ｂから突出するように配置される。
【００２２】
そして、コロ１００とガイド板１０３の間の空隙から除電露光用の光が洩れるのを防ぐと共に、転写極７４ａからの電荷がコロ１００に流れ込むのを防止するために、ガイド板１０３には図１及び図２に示すように、その裏側を全体的に覆うように遮光性の絶縁部材１０４が、この例では接着剤によって接着されている。
【００２３】
図３に示すように、ガイド板１０３の両端は折り曲げられて支持部１０３ａが形成され、この支持部１０３ａが転写部７４の側壁に延設された取付板部１０７にピン１０８を軸として回動自在に取り付けられている。また、図１及び図３に示すように、ガイド板１０３と取付板部１０７の間にはバネ１０５が取り付けられ、ガイド板１０３を感光体ドラム７１側へ付勢している。これにより、転写紙ｐが厚紙であっても転写紙ｐの厚さに対応してガイド板１０３が揺動してかつコロ１００の作用で転写紙ｐをスムースに感光体ドラム７１側に搬送することができる。
【００２４】
一方、コロ１００は図２に示すように、その両端に導電性の軸受１０１が嵌着され、導電性の保持部材１０２の取付部１０２ａにはめ込まれている。保持部材１０２は導電性樹脂部材で導電性のＡＢＳ樹脂からなり、その抵抗率は１０2〜１０10Ωｃｍとなされている。これにより、例えばガイド板１０３に電圧を印加した場合には、抵抗率が限定されているので、ガイド板１０３を介してコロ１００に効率良く電圧を印加することができる。そして保持部材１０２がガイド板１０３の所定位置に取付固定されることによって、ガイド板１０３にコロ１００が回転自在に取り付けられる。
【００２５】
ここで、このように構成された画像形成部７０において、ガイド板１０３に負の電圧（−５００ボルト）が印加された場合の動作を図４を用いて説明すると、均一帯電された感光体ドラム７１の表面に画像が照射され、後述する現像部７３により反転現像され、トナー像が形成される。次に、転写部７４（図１）の転写極７４ａによる転写紙ｐの裏面のコロナ帯電及び除電露光手段１１０による感光体ドラム７１の表面の除電露光がなされてトナー像が転写され、引き続き分離部７５（図１）による転写紙ｐの裏面の除電が行われて感光体ドラム７１から分離される。
【００２６】
このとき、図２で示したコロ１００、軸受１０１、保持部材１０２及びガイド板１０３はいずれも導電性の材質であるから、ガイド板１０３に印加された電圧は保持部材１０２、軸受１０１を介してコロ１００に印加されることになる。
【００２７】
また、ガイド板１０３の裏面は絶縁部材１０４で全体的に覆われているので、転写極７４ａからの電荷がコロ１００に流れ込むことを防ぎ、感光体ドラム７１上のトナーがコロ１００に付着するのを防止してコロ１００に接した転写材ｐが汚れるのを防止することができる。
【００２８】
さらに、ガイド板１０３の裏側を絶縁部材１０４で覆うことで、コロ１００とガイド板１０３の空隙から除電露光手段１１０の光が感光体ドラム７１に当たるのを防止して画像ちりが発生するのを防止できる。
【００２９】
続いて、画像形成部７０が構成された画像形成装置２０の断面構成例について図５を用いて説明する。なお、この例では、原稿の表裏（両面）の画像を転写紙ｐの表裏にコピー可能な画像形成装置２０について説明する。また、ここの説明では、画像形成部７０の詳細な説明は省略する。
【００３０】
画像形成装置２０は図５に示すように、原稿ｄの画像を読み取るための画像取得部３１と、コロ１００及びガイド板１０３を有する画像形成部７０とを有している。画像取得部３１にあっては自動原稿給紙装置（ＡＤＦ）４０及び画像読み取り部５０を有している。
【００３１】
自動原稿給紙装置４０はセットされた複数の原稿ｄを１枚ずつ給紙し、その原稿ｄを所定の位置に載置するためのもので、原稿配置部４１、ローラ４２ａ、ローラ４２ｂ、ローラ４３、反転ローラ４４、反転部４５及び排紙皿４６で構成されている。画像読み取り部５０は第１のプラテンガラス２１、第２のプラテンガラス５２、光源５３、ミラー５４、５５、５６、結像光学系５７、ＣＣＤ撮像装置５８及び図示しない光学駆動系で構成されている。画像形成部７０は感光体ドラム７１、帯電部７２、現像部７３、転写部７４、分離部７５、クリーニング部７６、搬送機構７７及び定着部７８で構成されている。
【００３２】
ここで、各部の機能を順に説明すると、例えば原稿配置部４１には原稿の第１頁目の表面を上にした状態で、複数枚の原稿ｄが載置されている。そして、ローラ４２ａ及びローラ４２ｂが駆動されると、これらのローラ４２ａ及びローラ４２ｂを介して繰り出された原稿ｄの１枚目がローラ４３を介して回転搬送される。
【００３３】
このとき、画像読み取り部５０の光源５３から原稿ｄに光が照射される。この反射光はミラー５４，５５，５６によって変向されるので、その反射光が結像光学系５７を介してＣＣＤ撮像装置５８に取り込まれる。これにより、ＣＣＤ撮像装置５８の受光面に原稿ｄの画像が結像される。また、このとき、ＣＣＤ撮像装置５８によって原稿ｄのサイズが検出される。
【００３４】
ここで、プラテンガラス２１上に原稿ｄの読み取り面を下に向けた状態で、その原稿ｄが原稿配置部４１に載置された場合には光学駆動系はプラテンガラス２１に沿って、画像読み取り部５０を走査し、ＣＣＤ撮像装置５８によって原稿ｄのサイズ及び画像が読み取られる。
【００３５】
なお、自動原稿給紙装置４０により原稿ｄが自動給紙される場合には、ローラ４３の周囲を原稿ｄが回るようになるので、この場合には第２のプラテンガラス５２下に光源５３とミラー５４とが固定された状態で、原稿の情報が画像読み取り部５０によって読み取られる。
【００３６】
そして、原稿ｄの第１頁目が読み取られると、今度は反転ローラ４４を介して再度、ローラ４３を用いた巻き取り操作が行われ、原稿裏面の画像が画像読み取り部５０で読み取られる。
【００３７】
このようにして、表面と裏面の画像が読み取られた原稿ｄは、再度反転ローラ４４で反転されて表面を下に向けた状態で、原稿読み取り動作と共に排紙皿４６に積載されて行く。また、読み取られた画像情報は画像書き込み部６０に出力される。
【００３８】
一方、この例ではサイズの異なる２種類の転写紙ｐがそれぞれ積載された給紙カセット３０ａ，３０ｂから、選択されたどちらか一方の転写紙ｐが繰り出されて画像形成部７０に給送される。転写紙ｐはその入り口のレジストローラ１１２で同期が採られた後に感光体ドラム７１に、搬送される。
【００３９】
画像書き込み部６０内では、画像データに応じたレーザ光がレーザダイオードから感光体ドラム７１上へ照射されるので、この感光体ドラム７１に原稿ｄの静電潜像が形成される。この静電潜像は現像部７３で現像された後に、感光体ドラム７１上にトナー像として形成される。このトナー像は感光体ドラム７１の下方に設けられた転写部７４によって転写紙ｐに複写される。
【００４０】
この場合、コロ１００及びガイド板１０３には−５００ボルトの電圧が印加されているので、コロがトナーで汚れることなく、またどんな転写材もガイド板に吸着することがなく搬送されるので、画像不良の発生が防止される。また、ガイド板１０３の裏面は絶縁部材１０４で全体的に覆われているので、転写極７４ａからの電荷がコロ１００に流れ込むのを防ぎ、感光体ドラム７１上のトナーがコロ１００に付着するのを防止してコロ１００に接した転写材ｐが汚れるのを防止することができる。さらに、ガイド板１０３の裏側を絶縁部材１０４で覆うことで、コロ１００とガイド板１０３の隙間から除電露光手段１１０の光が感光体ドラム７１に当たるのを防止して画像ちりが発生するのを防止できる。
【００４１】
そして、感光体ドラム７１に吸着された転写紙ｐは分離部７５によって感光体ドラム７１から分離される。その後、感光体ドラム７１から分離された転写紙ｐは搬送機構７７を介して定着部７８に送出され、トナー像が熱と圧力とにより定着される。これにより、転写紙ｐに原稿裏面の画像（第２頁目画像）が形成される。
【００４２】
また、トナー像が圧着された転写紙ｐはガイド９１を介して下方に搬送され、反転部９３に送出される。次に反転部９３に送出された転写紙ｐは反転ローラ９２で、再度上方向に繰り出され、給紙カセット３０ａ上に設けられた反転搬送路９４を通って再度、画像形成部７０に転送される。
【００４３】
上述した原稿ｄの裏面の画像形成が終了した画像形成部７０では、感光体ドラム７１に付着したトナーがクリーニング部７６により除去され、続く帯電部７２により感光体ドラム７１が帯電され、次の画像形成に対処すべく待機している。
【００４４】
この状態で、転写紙ｐがその表面（未だ画像形成されていない面）を上にして、レジストローラ６１を介して画像形成部７０に送出される。画像形成部７０では感光体ドラム７１に原稿表面の静電潜像が形成され、この静電潜像が現像部７３で現像されるので、感光体ドラム７１上に原稿表面のトナー像が形成される。
【００４５】
このトナー像は転写部７４によって転写紙ｐに複写されるので、その表面に第１頁目の静電潜像が形成される。感光体ドラム７１に吸着された転写紙ｐは分離部７５によって感光体ドラム７１から分離された後に、搬送機構７７を介して定着部７８に送出され、トナー像が熱と圧力とにより定着される。これにより、転写紙ｐに原稿表面の画像（第１頁目画像）を形成することができる。
【００４６】
そして、転写紙ｐの裏面と表面とに画像形成が完了した転写紙ｐはフィニッシャ部９０で出力形態（ソータ機能など操作指示）に対応して、そのまま機外に排出されるか、もしくは、再度反転部９３で反転されて排出ローラ９５により機外に排出される。これにより、原稿ｄの表裏（両面）の画像を転写紙ｐの表裏にコピーすることができる。
【００４７】
なお、この実施の形態では、転写紙の移動によってコロ１００が従動回転する場合を説明したが、これに限定されることはなく、コロ１００自身を駆動させるようにしてもよい。
【００４８】
また、コロ１００、軸受１０１及びガイド板１０３の材質は導電性であればよく、例えば導電性の金属や導電性のＡＢＳ樹脂を用いることができる。
【００４９】
また、保持部材１０２の材質には導電性のＡＢＳ樹脂が用いられている場合を説明したが、これに限定されることはなく、他の導電性材料を用いてもよい。
【００５０】
【発明の効果】
以上説明したようにこの発明に係わる画像形成装置では、転写部に転写材を案内するガイド板において、ガイド板と導通するコロを設け、ガイド板に揺動させるようにしたものである。
【００５１】
したがって、コロがトナーで汚れることなく、また、どんな転写材もガイド板に吸着することがなく搬送されるので、画像不良の発生を防止することができる。
【図面の簡単な説明】
【図１】この発明の実施の形態に係わる画像形成部の構成を示した図である。
【図２】画像形成部の要部の断面図である。
【図３】画像形成部の要部の斜視図である。
【図４】画像形成部に負電圧（−５００Ｖ）を印加した場合の説明図である。
【図５】画像形成部が構成された画像記録装置の断面図である。
【図６】従来例の構成を示す図である。
【符号の説明】
１２，１０３  ガイド板
２０  画像形成装置
７０  画像形成部
７１  感光体ドラム
７４  転写部
７４ａ  転写極
７５  分離部
７５ａ  分離極
１００  コロ
１０１  軸受
１０２  保持部材
１０２ａ  取付部
１０３ａ  支持部
１０３ｂ  開口部
１０４  絶縁部材
１０５  バネ
１１０  除電露光手段
ｄ  原稿
ｐ  転写材（転写紙）
【図１】
0003647010.tif 000002
【図２】
0003647010.tif 000003
【図３】
0003647010.tif 000004
【図４】
0003647010.tif 000005
【図５】
0003647010.tif 000006
【図６】
0003647010.tif 000007